(57)【要約】【課題】風が強い時にも不意に的が後方へ倒れることがなく、的の前方に矢が当たり一定の力以上の力が掛かると的が後方へ転倒して、またその際的及び矢を損傷させず、前方に矢をはね返すことができるアーチェリーバイアスロン用の的構造を提供することを目的とする。【解決手段】アーチェリーバイアスロン用的盤１と、固定台22と、的盤１を固定台22に鉛直起立状態及び後方転倒状態に切換自在に保持する保持部材Ｋとを、備える。また、保持部材Ｋは、的盤１を射撃可能な鉛直起立状態に保つ離脱自在のストッパ部Ｓを備える。【選択図】  図１
2004205079.tif 000002
【特許請求の範囲】
【請求項１】
アーチェリーバイアスロン用的盤（１）と、固定台（22）と、該的盤（１）を上記固定台（22）に鉛直起立状態及び後方転倒状態に切換自在に保持する保持部材（Ｋ）とを、備え、該保持部材（Ｋ）は、上記的盤（１）を射撃可能な上記鉛直起立状態に保つ離脱自在のストッパ部（Ｓ）を備えたことを特徴とするアーチェリーバイアスロン用の的構造。
【請求項２】
的盤（１）に矢（７）が当たって外力（Ｆ）を受け水平後方へ移動して、ストッパ部（Ｓ）を離脱させる感知機構（Ｒ）を有する請求項１記載のアーチェリーバイアスロン用の的構造。
【請求項３】
複数の的盤（１）を１台の固定台（22）に設け、後方転倒状態の夫々の的盤（１）を、同時に鉛直起立状態に復元させる復元手段（32）を具備する請求項１又は２記載のアーチェリーバイアスロン用の的構造。
【請求項４】
アーチェリーバイアスロン用的盤（１）と、固定台（22）と、該的盤（１）を上記固定台（22）に鉛直起立状態及び後方転倒状態に切換自在に保持する保持部材（Ｋ）とを、備え、該保持部材（Ｋ）は、上記的盤（１）を射撃可能な上記鉛直起立状態に保つ離脱自在のストッパ部（Ｓ）を備え、さらに、該保持部材（Ｋ）は、上記的盤（１）の裏面（６）から水平状に後方へ延設されたスライド棒（３）と、該スライド棒（３）を軸心方向にスライド可能に保持する軸受（４）と、該スライド棒（３）を前方へ弾発付勢するスプリング（11）と、鉛直起立状態で上端に該軸受（４）が付設され下端側が上記固定台（22）に前後揺動可能に枢着された揺動アーム（13）と、該揺動アーム（13）の一部に揺動自在に枢結されて上記固定台（22）の当接部（17）に当接して該揺動アーム（13）の揺動を阻止すると共に上記ストッパ部（Ｓ）を形成するストッパ片（14）と、上記的盤（１）に矢（７）が当たって上記スライド棒（３）が後方へスライドしたことを感知し上記ストッパ片（14）を揺動して上記当接部（17）から離脱させる感知機構（Ｒ）とを、具備したことを特徴とするアーチェリーバイアスロン用の的構造。
【請求項５】
感知機構（Ｒ）は、上記ストッパ片（14）に一体状に形成されると共にカム受け用勾配部（９）を有する感知アーム（24）と、的盤（１）に矢（７）が当たって外力（Ｆ）を受けスライド棒（３）が水平後方へ所定距離（Ｌ）移動した際に上記勾配部（９）に当接するように上記スライド棒（３）側に付設されたカムピン（21）とを、有する請求項４記載のアーチェリーバイアスロン用の的構造。
【請求項６】
複数の的盤（１）を１台の固定台（22）に設け、後方転倒状態の夫々の的盤（１）を、同時に鉛直起立状態に復元させる復元手段（32）を具備し、さらに、該復元手段（32）は、的盤（１）が後方転倒状態にあるとき、夫々のストッパ片（14）及び感知アーム（24）の弯曲部（33）に当接する当接ピン（34）を有し上記複数の的盤（１）を同時に鉛直起立状態に復元させる杆（35）を備え、夫々の杆（35）が、１本の軸（36）に固着された請求項４又は５記載のアーチェリーバイアスロン用の的構造。
【発明の詳細な説明】
【０００１】
【発明の属する技術分野】
本発明は、アーチェリーバイアスロン用の的構造（特に、ドロップ−ダウンターゲット）に関する。
【０００２】
【従来の技術】
従来の、アーチェリーの標的は、複数の藁層を備えた多層構造のマット本体と、表シート，裏シートとを綴じ糸を介して縫い締めるものがある（例えば、特許文献１参照）。
【０００３】
【特許文献１】
特開平９−318297号公報
【０００４】
【発明が解決しようとする課題】
雪上で行うアーチェリーバイアスロン競技に於いては、矢が的に当たると、的が後方へ転倒しなければならず、しかも、矢，的及び装置が損傷してはならない。しかし、上述した従来のアーチェリーの標的のマット本体は、矢が突き刺さるものであり、また、矢が当たると的が後方へ転倒する構造ではない。
【０００５】
そこで、従来、的の前面に矢が当たり一定の力以上の力が掛かると的が後方へ転倒するように、前後に揺動する木製アームに的を取付けて、鉛直よりも僅かに前方へ傾斜して、固定枠に当たって、保つ構造のものが使用されている。しかし、風が強いときには、不意に的が後方へ倒れる欠点があり、かつ、完全に鉛直状でない等の欠点があった。
【０００６】
【課題を解決するための手段】
本発明に係るアーチェリーバイアスロン用の的構造は、アーチェリーバイアスロン用的盤と、固定台と、該的盤を上記固定台に鉛直起立状態及び後方転倒状態に切換自在に保持する保持部材とを、備え、該保持部材は、上記的盤を射撃可能な上記鉛直起立状態に保つ離脱自在のストッパ部を備える。
【０００７】
また、的盤に矢が当たって外力を受け水平後方へ移動して、ストッパ部を離脱させる感知機構を有している。さらに、複数の的盤を１台の固定台に設け、後方転倒状態の夫々の的盤を、同時に鉛直起立状態に復元させる復元手段を具備するのも好ましい。
【０００８】
また、アーチェリーバイアスロン用的盤と、固定台と、該的盤を上記固定台に鉛直起立状態及び後方転倒状態に切換自在に保持する保持部材とを、備え、該保持部材は、上記的盤を射撃可能な上記鉛直起立状態に保つ離脱自在のストッパ部を備え、さらに、該保持部材は、上記的盤の裏面から水平状に後方へ延設されたスライド棒と、該スライド棒を軸心方向にスライド可能に保持する軸受と、該スライド棒を前方へ弾発付勢するスプリングと、鉛直起立状態で上端に該軸受が付設され下端側が上記固定台に前後揺動可能に枢着された揺動アームと、該揺動アームの一部に揺動自在に枢結されて上記固定台の当接部に当接して該揺動アームの揺動を阻止すると共に上記ストッパ部を形成するストッパ片と、上記的盤に矢が当たって上記スライド棒が後方へスライドしたことを感知し上記ストッパ片を揺動して上記当接部から離脱させる感知機構とを、具備する。
【０００９】
また、感知機構は、上記ストッパ片に一体状に形成されると共にカム受け用勾配部を有する感知アームと、的盤に矢が当たって外力を受けスライド棒が水平後方へ所定距離移動した際に上記勾配部に当接するように上記スライド棒側に付設されたカムピンとを、有する。さらに、複数の的盤を１台の固定台に設け、後方転倒状態の夫々の的盤を、同時に鉛直起立状態に復元させる復元手段を具備し、さらに、該復元手段は、的盤が後方転倒状態にあるとき、夫々のストッパ片及び感知アームの弯曲部に当接する当接ピンを有し上記複数の的盤を同時に鉛直起立状態に復元させる杆を備え、夫々の杆が、１本の軸に固着されるのも好ましい。
【００１０】
【発明の実施の形態】
以下、実施の形態の示す図面に基づき、本発明を詳説する。
【００１１】
図１，図２及び図３は、本発明のアーチェリーバイアスロン用の的構造の実施の一形態を示す側面図である。アーチェリーバイアスロンは、雪山，スキー場等で行われ、的に矢を当てて転倒させる競技である。この的は、アーチェリーバイアスロン用的盤１と、固定台22と、的盤１を固定台22に鉛直起立状態及び後方転倒状態に切換自在に保持する保持部材Ｋとを、備えている。また、保持部材Ｋは、的盤１を射撃可能な鉛直起立状態に保つ離脱自在のストッパ部Ｓを備えている。
【００１２】
図１に於て、このアーチェリーバイアスロン用の的構造は、アーチェリーバイアスロン用的盤１と、固定台22と、的盤１を固定台22に鉛直起立状態及び後方転倒状態に切換自在に保持する保持部材Ｋとを、備え、この保持部材Ｋは、的盤１を射撃可能な鉛直起立状態に保つ離脱自在のストッパ部Ｓを備えている。的盤１は、円形の表て盤２と、表て盤２と一体状に貼着される木製，鋼板製，ステンレス製または樹脂製等の裏盤37と、から成る。表て盤２は、前方から当たる矢７の先端部を損傷させず、防食性を有するゴム製等とする。なお、図示の実施の形態以外に、的盤１としては、スライド棒３の先端に固着される白色ゴムキャップ部材と、この白色ゴムキャップの先端部が挿入固着される貫孔を中心に有する黒色ゴム盤（表て盤２）とをもって、構成するのも、好ましく、特に、的の表面の中心───いわゆるスポット───に白色丸印が露出して、的盤１として好適である（図示省略）。
【００１３】
また、固定台22は、矢７が保持部材Ｋに当たらないよう保護する前ガード板19を備え、後方転倒する保持部材Ｋの落下の衝撃を吸収するためのゴム製等のクッション材31を付設している。なお、クッション材31を他の位置に付設するも自由であって、例えば、感知アーム24の後方下端を延長して被当接部とし、クッション材31を、図１の前ガード板19と底壁との隅部の位置に配設し、かつ、ストッパ板23の下半部を切欠状とした構造であっても良い。
【００１４】
さらに、保持部材Ｋは、的盤１の裏盤37の裏面６から水平状に後方へ延設されたスライド棒３と、スライド棒３を軸心方向にスライド可能に保持する軸受４と、スライド棒３を前方へ弾発付勢するスプリング11と、鉛直起立状態で上端に軸受４が付設され下端側が固定台22に前後揺動可能に枢着された揺動アーム13とを有する。
【００１５】
スライド棒３は、丸棒または円筒形状であり、このスライド棒３を挿嵌して保持する（図１〜図３では２個配設された）軸受４は、摩擦抵抗の小さい材質である。揺動アーム13は、上部から下部へ長手方向に延びた薄板形状の部材で、上端側には、軸受４を付設する固定具５が、ボルト・ナットやネジ等で螺着される。揺動アーム13の下端側は、固定台22の前ガード板19裏面に付設される固定板18と、枢支軸25で前後揺動可能になるように、枢着される。
【００１６】
さらに、保持部材Ｋは、薄板形状のストッパ片14を具備する。このストッパ片14の上端側は、揺動アーム13の上下の中間附近の一部に、枢支軸15にて、揺動自在に枢結される。また、下端側は、固定台22に付設されたストッパ板23の当接部17に当接して揺動アーム13の揺動を阻止すると共にストッパ部Ｓを形成する。
【００１７】
さらに、保持部材Ｋは、的盤１に矢が当たって外力Ｆを受け水平後方へ移動して、ストッパ部Ｓを離脱させる感知機構Ｒを有している。すなわち、この感知機構Ｒは、ストッパ片14と一体状に枢支軸25よりも上方に形成されると共にカム受け用勾配部９を有する感知アーム24と、的盤１に矢７が当たって外力Ｆを受けスライド棒３が水平後方へ所定距離Ｌ移動した際に勾配部９に当接するようにスライド棒３側に付設されたカムピン21とを、有する。感知アーム24の上端側30は、ストッパ片14の下端側20よりも後方になるよう形成される。
【００１８】
図４，図５は感知機構Ｒの要部拡大側面図で、図６は、図４のＡ−Ａ断面図である。感知アーム24の上端側30には、カム受け用勾配部９を一部に有する開口10が形成されている。棒補助具８の上部は、スライド棒３の後部に固設され、下部は、図６のように、感知アーム24の開口10に挿嵌された短円筒状のカムピン21を両側から挟んで、カムピン21をボルト・ナットやネジで回転可能に保持する。
【００１９】
ここで、保持部材Ｋを成すスプリング11は、図１に示すように、軸受４を把持する固定具５と、スライド棒３に付設される棒補助具８とを、連結しており、スライド棒３を前方へ弾発付勢する。また、他のスプリング12が、揺動アーム13と、感知アーム24とを、連結しており、図１の状態では、スプリング12が、感知アーム24を前方へ弾発付勢して、微小な外力が感知アーム24にかかってもストッパ部Ｓを離脱させない。矢７が的盤１に当たって図２の状態になると、カムピン21が勾配部９に当接するので、スプリング12は、スプリング11と共に、スライド棒３を前方へ弾発付勢する。
【００２０】
図７，図８，図９は、ストッパ部Ｓの要部拡大側面図である。固定台22の底壁部または前ガード19裏面に付設されたストッパ板23の上方へ向いた先端部は、ストッパ部Ｓを形成する当接部17に相当する。ストッパ片14の下端側20には、ストッパ板23の当接部17と当接する係止部16が形成される。図７のように、的盤１及び保持部材Ｋの荷重が、係止部16と当接部17の当接箇所で、係止方向26へ働き、的盤１が鉛直起立状態に保持される。図７〜図９に示す如く、下端側20に、後方切欠形状の切欠部38を形成し、この切欠部38をストッパ板23に当接させると、的盤１が、鉛直起立状態から前方へは倒れず、この状態が保持される。
【００２１】
本発明のアーチェリーバイアスロン用の的構造は、上述したように雪山やスキー場等の屋外で使用されるので、防食性を有する材質とする。すなわち、スライド棒３・揺動アーム13・ストッパ片14及び感知アーム24・固定台22は、ステンレス，樹脂または木製等とし、スプリング11，12はステンレス等の防食性を有する材質とする。
【００２２】
図10は、後方転倒状態の的盤１を復元させる構造の説明用側面図である。複数の的盤１…を１台の固定台22に設け、後方転倒状態の夫々の的盤１を、同時に鉛直起立状態に復元させる復元手段32を具備する。すなわち、複数の的盤１…を１台の固定台22に設けたアーチェリーバイアスロン用の的構造であって、的盤１が後方転倒状態にあるとき、ストッパ片14・感知アーム24の一体状部材に形成される弯曲部33に当接する当接ピン34を有し上記複数の的盤１…を同時に鉛直起立状態に復元させる杆35…を備え、夫々の杆35…が、１本の軸36に挿嵌され固着される。
【００２３】
図２のように、二点鎖線の鉛直起立状態の的盤１に、前方から矢７が当たると、外力Ｆを受け、的盤１とスライド棒３が、軸受４にガイドされつつ水平移動する。このとき、棒補助具８のカムピン21が、（図４のような）感知アーム24の開口10の底部から、（図５のような）カム受け用勾配部９に摺接する後方向28へ移動して、感知アーム24が、下方向29へ下がる。
【００２４】
後方向28への移動が所定距離Ｌを越えると、感知アーム24が、下方向29へ下がり、（図２に於て）枢支軸15を中心に、揺動し、図８のようにストッパ片14が、ストッパ板23の当接部17から離脱方向27へ移動する。そして、図９のように、ストッパ片14が、ストッパ板23の当接部17より離脱して、的盤１とスライド棒３を保持する揺動アーム13が、図３のように、枢支軸25を中心に後方へ転倒した状態となる。このとき、保持部材Ｋが、固定台22の底に付設されたクッション材31上に落下するので、保持部材Ｋの損傷を防ぐ。
【００２５】
後方向28への移動が所定距離Ｌ以内であれば、スプリング11，12の弾発付勢によって、カムピン21は図４の状態へ戻り、ストッパ部Ｓは、図７のような状態のままであり、的盤１，スライド棒３，棒補助具８等は、図１の状態へ戻る。スプリング11，12は、的盤１の下部が約 1.1kgの外力Ｆを受けた際に、後方向28へ所定距離Ｌ移動できる弾発力を有する。これは、18ｇの矢７が、単位時間当たり約130kmの速度で的盤１に当たるときの外力に相当する。
【００２６】
感知機構Ｒは、上述した感知アーム24を具備する構造以外に設計変更自由であって、スライド棒３の後方と、ストッパ片14の下端側20の後方に、夫々接触可能な１本のプッシュプルワイヤを揺動アーム13に設けるのもよい。この場合は、鉛直起立状態の的盤１に、前方から矢７が当たって外力Ｆを受け、的盤１とスライド棒３が、後方へ所定距離Ｌ水平移動してプッシュプルワイヤの一端側を押すと、ワイヤの他端側が、ストッパ片14の下端側20を押して、ストッパ部Ｓが離脱し、的盤１が後方転倒状態となる。
【００２７】
図10に於いて、軸36を時計廻りに回すと、当接ピン34は凹状弯曲部33に当接し滑りながらストッパ片14及び感知アーム24の一体状部材を押し上げ、的盤１，保持部材Ｋ及び復元杆35は、実線の状態から、二点鎖線の状態へとなる。１台の固定台22に複数台の的盤１…と復元杆35とを配設して、同時に複数台の的盤１…を鉛直起立状態へ復元させる。
【００２８】
以上のように、本発明の的構造は、的盤１の後方の保持部材Ｋにより、的盤１の前面に矢７が当たって外力Ｆを受けた場合には確実にストッパ部Ｓが離脱するので、アーチェリーバイアスロン競技に適している。また、ストッパ部Ｓは、保持部材Ｋの一部と、固定台22の一部と、から成る簡素な構成で製造も容易でありながら、的盤１，保持部材Ｋの荷重による力で保持される構造なので、強固なストッパ機能を有する。そして、このストッパ部Ｓにより、的盤１は、前面から風などの圧力を受けても、鉛直起立状態に保持され倒れない。
【００２９】
また、的盤１に矢７が当たると、スライド棒３が後方へ移動してスプリング11の弾発力によって衝撃を吸収するので、矢７の先端及び的盤１が損傷するのを防ぐことができる。
【００３０】
感知機構Ｒによって、矢７が的盤１に当たる力を利用して的盤１を後方転倒状態にすることができる。すなわち、スライド棒３が後方へ所定距離Ｌ移動すると、カムピン21がカム受け用勾配部９と当接するという簡易な仕組みでありながら、この感知機構Ｒは、的盤１を後方転倒状態にすることができる。また、カムピン21と、カム受け用勾配部９とは、保持部材Ｋの一部に設けられたもので、製造も大変容易である。
【００３１】
復元手段32によって、複数並設された的盤１…が、射撃後の後方転倒状態から鉛直起立状態に復元される。すなわち、軸36（に連結された図外のハンドルレバー等）を回すだけで、後方転倒した複数の的盤１…を同時に素早く鉛直起立状態にすることができるので、競技の進行がスムーズになり、その操作も容易である。そして、紐やワイヤ等により、離れた場所からでも復元することができる。弯曲部33は、保持部材Ｋの一部を切断加工すればよく製作も容易であり、当接ピン34を有する復元杆35と軸36の製造及び配設は容易である。
【００３２】
【発明の効果】
本発明は、上述の構成により次のような著大な効果を奏する。
【００３３】
（請求項１によれば、）的盤１の後方の保持部材Ｋにより、的盤１の前面に矢が当たって所定以上の外力を受けた場合には確実にストッパ部Ｓが離脱するので、アーチェリーバイアスロン競技に適している。また、ストッパ部Ｓは、保持部材Ｋの一部と、固定台22の一部と、から成る簡素な構成で製造も容易でありながら、的盤１，保持部材Ｋの荷重による力で保持される構造なので、強固なストッパ機能を有する。そして、このストッパ部Ｓにより、的盤１は、前面から風などの圧力を受けても、鉛直起立状態に保持され、不意に倒れることがない。
【００３４】
（請求項２によれば、）感知機構Ｒによって、矢７が的盤１に当たる力を利用して、的盤１を確実に後方転倒状態にすることができる。また、的盤１に矢７が当たると、スライド棒３が後方へ移動してスプリング11の弾発力によって衝撃を吸収するので、矢７の先端及び的盤１が損傷するのを防ぐことができる。
【００３５】
（請求項３によれば、）複数並列された的盤１…を、復元手段32によって、素早く鉛直起立状態にできるので、アーチェリーバイアスロン競技の進行がスムーズになる。また、紐，ワイヤ等を使って、離れた場所からでも復元することができる。
【００３６】
（請求項４によれば、）的盤１の後方の保持部材Ｋにより、的盤１の前面に矢が当たって所定以上の外力を受けた場合には確実にストッパ部Ｓが離脱するので、アーチェリーバイアスロン競技に適している。また、ストッパ部Ｓは、保持部材Ｋの一部と、固定台22の一部と、から成る簡素な構成で製造も容易でありながら、的盤１，保持部材Ｋの荷重による力で保持される構造なので、強固なストッパ機能を有する。そして、このストッパ部Ｓにより、的盤１は、前面から風などの圧力を受けても、鉛直起立状態に保持され、不意に倒れることがない。
【００３７】
また、的盤１に矢７が当たると、スライド棒３が後方へ移動してスプリング11の弾発力によって衝撃を吸収するので、矢７の先端及び的盤１が損傷するのを防ぐことができる。
【００３８】
（請求項５によれば、）感知機構Ｒによって、矢７が的盤１に当たる力を利用して的盤１を確実に後方転倒状態にすることができる。すなわち、スライド棒３が後方へ所定距離Ｌ移動すると、カムピン21がカム受け用勾配部９と当接するという簡易な仕組みでありながら、この感知機構Ｒは、的盤１を確実に後方転倒状態にすることができる。また、カムピン21と、カム受け用勾配部９とは、保持部材Ｋの一部に設けられたもので、製造も容易である。
【００３９】
（請求項６によれば、）復元手段32によって、複数並設された的盤１…が、射撃後の後方転倒状態から鉛直起立状態に復元される。すなわち、軸36を回すだけで、後方転倒した複数の的盤１…を同時に素早く鉛直起立状態にすることができるので、競技の進行がスムーズになり、その操作も容易である。そして、紐やワイヤ等により、離れた場所からでも復元することができる。弯曲部33は、保持部材Ｋの一部を機械（切断）加工すればよく製作も容易であり、当接ピン34を有する復元杆35と軸36の製造及び配設は容易である。
【図面の簡単な説明】
【図１】本発明のアーチェリーバイアスロン用の的の実施の一形態を示す側面図である。
【図２】矢が前方から的盤に当たり後方へ水平移動した側面図である。
【図３】的盤が後方転倒状態となった側面図である。
【図４】感知機構Ｒの要部拡大側面図である。
【図５】スライド棒が後方へ水平移動したときの要部拡大側面図である。
【図６】図４のＡ−Ａ断面図である。
【図７】ストッパ部の要部拡大側面図である。
【図８】ストッパ片が離脱方向へ移動した要部拡大側面図である。
【図９】ストッパ片が当接部と離脱した要部拡大側面図である。
【図10】全体の説明用側面図である。
【符号の説明】
１  的盤
３  スライド棒
４  軸受
６  裏面
７  矢
９  カム受け用勾配部
11  スプリング
13  揺動アーム
14  ストッパ片
17  当接部
21  カムピン
22  固定台
24  感知アーム
32  復元手段
33  弯曲部
34  当接ピン
35  復元杆
36  軸
Ｆ  外力
Ｋ  保持部材
Ｌ  所定距離
Ｒ  感知機構
Ｓ  ストッパ部
【図１】
2004205079.tif 000003
【図２】
2004205079.tif 000004
【図３】
2004205079.tif 000005
【図４】
2004205079.tif 000006
【図５】
2004205079.tif 000007
【図６】
2004205079.tif 000008
【図７】
2004205079.tif 000009
【図８】
2004205079.tif 000010
【図９】
2004205079.tif 000011
【図１０】
2004205079.tif 000012